(57)【要約】【課題】  サービス依頼への対応が早くなって、使用者，製造者双方の利益になる空気調和機を提供する。【解決手段】  本発明に係る空気調和機は、点滅可能な表示装置と、リモコンからの操作に応答して断続音を発生する音発生装置と、を備え、故障情報または動作情報により前記表示装置が点滅した後、前記リモコンからの操作に応答して、前記音発生装置から発生する前記故障情報または前記動作情報に対応した断続音が通報される。これにより、サービス依頼への対応が早くなって、使用者，製造者双方の利益になる空気調和機を提供することができる。【選択図】図９
2010091141.tif 000002
【特許請求の範囲】
【請求項１】
点滅可能な表示装置と、リモコンからの操作に応答して断続音を発生する音発生装置と、を備えた空気調和機において、
故障情報または動作情報により前記表示装置が点滅した後、前記リモコンからの操作に応答して、前記音発生装置から発生する前記故障情報または前記動作情報に対応した断続音が通報されることを特徴とする空気調和機。
【請求項２】
請求項１において、前記音発生装置の断続音の０.０２〜２０kHzの範囲のピークが０.３kHz〜３.４kHzであることを特徴とする空気調和機。
【請求項３】
請求項１において、前記音発生装置の断続音の０.０２〜２０kHzの範囲のピークが１.８kHz〜３.４kHzであることを特徴とする空気調和機。
【請求項４】
請求項１乃至３の何れかにおいて、前記断続音が断続間隔の短いパルス音で構成される短パルス部と、断続間隔の長いパルス音で構成される長パルス部と、短パルス部と長パルス部を区切る消音部との組合せからなることを特徴とする空気調和機。
【請求項５】
請求項４において、前記短パルス部で故障分類または動作分類を通報し、前記長パルス部で故障内容または動作内容を通報することを特徴とする空気調和機。
【請求項６】
請求項４又は５において、前記消音部の長さが３秒以上であることを特徴とする空気調和機。
【請求項７】
請求項４乃至６の何れかにおいて、前記長パルス部の断続音に同期して、前記短パルス部の断続音の断続パターンに応じた前記表示装置の特定の発光部を点滅させることを特徴とする空気調和機。
【請求項８】
請求項４乃至７の何れかにおいて、前記短パルス部は複数の断続間隔の短いパルス音の組の１組又は複数組で構成され、前記長パルス部は単発又は複数の断続間隔の長いパルス音で構成されることを特徴とする空気調和機。
【請求項９】
請求項４乃至８の何れかにおいて、前記短パルス部は、断続間隔の短い５パルス以下の短パルスからなる組パルスで構成されることを特徴とする空気調和機。
【請求項１０】
請求項１乃至９の何れかにおいて、通報音の繰返し間隔を３０秒以内とすることを特徴とする空気調和機。
【請求項１１】
請求項１乃至１０の何れかにおいて、通報音の音量が複数段階に変更可能であることを特徴とする空気調和機。
【請求項１２】
請求項１乃至１１の何れかにおいて、前記故障情報または動作情報の通報中に、通報音の停止及び開始の操作が可能であることを特徴とする空気調和機。
【請求項１３】
請求項１乃至１２の何れかにおいて、通報音の継続時間を制限することを特徴とする空気調和機。
【請求項１４】
請求項９において、前記複数の短パルス間の短停止部長さが３０ms以上で、且つ、組パルス間の組停止部の長さの１／３以下であることを特徴とする空気調和機。
【発明の詳細な説明】
【技術分野】
【０００１】
本発明は空気調和機に係り、特に、故障時等の通報機能を備えた空気調和機に関する。
【背景技術】
【０００２】
空気調和機は室内空気を熱交換器に循環させて、加熱，冷却，除湿機能などにより調整し、これを室内に吹出すことにより室内を空気調和する。空気調和機を長年使用していると経時劣化などで故障し、運転が停止する場合がある。また、故障ではないが、例えば暖房運転中に、気象条件によっては室外熱交換器に着霜し、暖房能力が低下するので、これを回復するために、室内送風機の運転を停止する場合がある。また、近年、空気調和機に種々の機能が搭載され、機能間の優先順位や両立の可否など、使用者に必ずしも周知されていなくて、ありえない操作を指示してしまう場合もある。
【０００３】
このように、空気調和機が意図しない動作または意図しない停止に陥った時に、使用者は製造者のサービス窓口か、購入した販売店に電話して修理を依頼したり、機能の回復の仕方を問い合わせる。
【０００４】
空気調和機を使用しているときは寒い，暑い，蒸し々する等の時で有り、空気調和機が意図しない動作または意図しない停止に陥いると、使用者が寒い，暑い，蒸し々する等に我慢できない場合が多く、最悪の場合、その部屋が使えなくなる場合も生ずる。住宅事情が許せば、代わりの部屋で、修理が済むまで待つこともできるが、他の住宅設備との関係で代わりの部屋では、生活レベルの大幅ダウンを来たさざるを得ず、また、多くの場合、住宅事情が許さず、ひたすら、機能の回復や修理が早く終わって空気調和機が使えるようになるのを待たざるを得ない。
【０００５】
このため、如何に、早く機能を回復や修理を済ませられるかが製造者としても重要なことになり、サービス体制を充実させると共に、故障状態または動作状態を正確に表示したり、通報したりすることが行われて、これを具現化するために種々の工夫が凝らされている。この種の従来技術として、特許３０１８６４７号公報，特許３１３６０４９号公報，特公平７−１１３４７７号公報，特許２７７８０２７号公報が知られている。
【０００６】
特許文献１は遠隔操作において故障診断の開始を受けて故障診断の判断を行い、故障内容に応じて発光表示の光点滅と同期して発音表示の音を鳴らして故障診断表示し、使用者または装置の点検者が故障表示の認識およびその故障内容の認識が確実に素早く行える。これにより、空気調和機から離れたところからでも故障診断ができることや、より解り易く故障項目の複数化も図れ、かつ現在の空気調和機についている機能・部品で処理できているため、非常に安価で簡単にできる空気調和機の故障診断装置について述べている。
【０００７】
特許文献２は緩点滅または速点滅サイクルを表示の基本サイクルの始点・終点の境界として使用し、複数サイクルの速点滅または緩点滅と緩消灯または速消灯とで基準サイクルとし、この基準サイクルの数で特定情報を表示させ、これら一連の基本サイクルを繰返し表示する。また上記の発光表示を発音表示，２色の発光体，可聴音の音色・高低・大小に置き換える。これにより、例えばマイクロプロセッサなどの制御部を有する機器の複数の特定状態の表示間隔を短くし、視覚的にあるいは聴覚的に明確に表示を読み取り易くする機器の特定状態表示方法について述べている。
【０００８】
特許文献３はリモコンからの点検信号を受け、点検して異常を検出すると、異常内容に対応して発光体を点滅させる光表示手段又は発音体を作動させる音表示手段とが設けられている。これにより、サービスマン等は点検入力手段を操作するのみでもって異常内容を把握することができ、異常内容を一見して知ることができ、メンテナンス等を迅速且つ正確に行うことができるので、サービス性の向上を図ることができる空気調和装置の運転制御装置について述べている。
【０００９】
特許文献４は点滅の長短の組合せにより故障警報表示の種類を示す第１と第２の警報手段を有するとともに、第１の警報手段（例えばランプ）の長短点滅組合せにより故障履歴を表示させ、第１の警報手段の長短点滅組合せとこれに同期させた第２の警報手段（例えばブザー）の長短点滅組合せにより現在故障を表示させる警報制御手段を有する。これにより、簡単な警報手段を用いて、故障履歴と現在故障を明確に表示する故障警報表示装置について述べている。
【００１０】
【特許文献１】特許３０１８６４７号公報
【特許文献２】特許３１３６０４９号公報
【特許文献３】特公平７−１１３４７７号公報
【特許文献４】特許２７７８０２７号公報
【発明の開示】
【発明が解決しようとする課題】
【００１１】
現在、家庭用の空気調和機は、環境への配慮が求められ、省資源を強く要求されるようになった。このため、故障の時に修理して、使い続けられるよう、修理のしやすい工夫に加えて、修理のプロセスも重要視され、特に、修理を依頼する時または機能の回復を問い合わせる時に、故障状態または動作状態を正確にサービス部門に伝え、素早く、適切に対応することで、機能を迅速に回復することや修理に掛かる日数を短縮できる製品が求められている。
【００１２】
特許文献１ではブザーが発する音の周波数についての記述は無く、電話で故障報知音を聞いて、故障内容を把握し、サービス時間を短縮する工夫は無い。また、上位，下位データを区別するための空白音の長さはパルス音との区別できる長さであり、パルス音の数をメモに取るための工夫についての記述は無い。
【００１３】
特許文献２ではブザーが発する音の周波数についての記述は無く、電話で故障報知音を聞いて、故障内容を把握し、サービス時間を短縮する工夫は無い。故障を系統的に区分する工夫についての記述も無い。また、基準サイクルと境界サイクルの間の空白の長さは基準サイクルの空白の長さと同じであり、パルス音の数をメモに取るための工夫についての記述は無い。
【００１４】
特許文献３ではブザーが発する音の周波数についての記述は無く、電話で故障報知音を聞いて、故障内容を把握し、サービス時間を短縮する工夫は無い。また、上位，下位データを区別するための停止の長さについての記述は無く、パルス音のパターンをメモに取るための工夫は無い。
【００１５】
特許文献４ではブザーが発する音の周波数についての記述は無く、電話で故障報知音を聞いて、故障内容を把握し、サービス時間を短縮する工夫は無い。また、上位の直ぐ後に続けて下位データが来るのでメモを取る暇が無く、記憶に頼らざるを得ず、記憶違い，数え違いの恐れが大きく、現実的でない。
【００１６】
本発明の目的は、機器に故障の修理が素早く行える工夫を導入し、廃棄される機器を少なくして、もって、省資源に貢献し、環境に配慮した機器とすることである。
【００１７】
本発明が解決しようとする課題は、サービス依頼への対応が早くなって、使用者，製造者双方の利益になる空気調和機を提供することにある。
【課題を解決するための手段】
【００１８】
本発明が解決しようとする課題は、点滅可能な表示装置と、リモコンからの操作に応答して断続音を発生する音発生装置と、を備えた空気調和機において、故障情報または動作情報により前記表示装置が点滅した後、前記リモコンからの操作に応答して、前記音発生装置から発生する前記故障情報または前記動作情報に対応した断続音が通報されることにより達成される。
【００１９】
請求項２に記載の空気調和機は請求項１の空気調和機において、前記音発生装置の断続音の０.０２〜２０kHzの範囲のピークが０.３kHz〜３.４kHzであるものである。
【００２０】
請求項３に記載の空気調和機は請求項１の空気調和機において、前記音発生装置の断続音の０.０２〜２０kHzの範囲のピークが０.３kHz〜３.４kHzであるものである。
【００２１】
請求項４に記載の空気調和機は請求項１乃至３の何れかの空気調和機において、前記断続音が断続間隔の短いパルス音で構成される短パルス部と、断続間隔の長いパルス音で構成される長パルス部と、短パルス部と長パルス部を区切る消音部との組合せからなるものである。
【００２２】
請求項５に記載の空気調和機は請求項４の空気調和機において、前記短パルス部で故障分類または動作分類を通報し、前記長パルス部で故障内容または動作内容を通報するものである。
【００２３】
請求項６に記載の空気調和機は請求項４又は５の空気調和機において、前記消音部の長さが３秒以上であるものである。
【００２４】
請求項７に記載の空気調和機は４乃至６の何れかの空気調和機において、前記長パルス部の断続音に同期して、前記短パルス部の断続音の断続パターンに応じた前記表示装置の特定の発光部を点滅させるものである。
【００２５】
請求項８に記載の空気調和機は請求項４乃至７の何れかの空気調和機において、前記短パルス部は複数の断続間隔の短いパルス音の組の１組又は複数組で構成され、前記長パルス部は単発又は複数の断続間隔の長いパルス音で構成されるものである。
【００２６】
請求項９に記載の空気調和機は請求項４乃至８の何れかの空気調和機において、前記短パルス部は、断続間隔の短い５パルス以下の短パルスからなる組パルスで構成されるものである。
【００２７】
請求項１０に記載の空気調和機は請求項１乃至９の空気調和機において、通報音の繰返し間隔を３０秒以内とするものである。
【００２８】
請求項１１に記載の空気調和機は請求項１乃至１０の何れかの空気調和機において、通報音の音量が複数段階に変更可能であるものである。
【００２９】
請求項１２に記載の空気調和機は請求項１乃至１１の何れかの空気調和機において、前記故障情報または動作情報の通報中に、通報音の停止及び開始の操作が可能であるものである。
【００３０】
請求項１３に記載の空気調和機は請求項１乃至１２の何れかの空気調和機において、通報音の継続時間を制限するものである。
【００３１】
請求項１４に記載の空気調和機は請求項９の空気調和機において、前記複数の短パルス間の短停止部長さが３０ms以上で、且つ、組パルス間の組停止部の長さの１／３以下であるものである。
【発明の効果】
【００３２】
請求項１〜３に記載の発明によれば、サービス依頼への対応が早くなって、使用者，製造者双方の利益になる。
【００３３】
請求項４によれば、使用者のサービス部門への情報伝達の負担が小さい。
【００３４】
請求項５によれば、故障状態または動作状態を故障分類または動作分類で細分化して通報し、サービスの対応を適切に行える。
【００３５】
請求項６によれば、故障情報または動作情報が確実，正確に通報され、使用者の負担が少ない。
【００３６】
請求項７によれば、音発生装置と表示装置の何れか一方を使用して、故障状態または動作状態を適切に把握できる。
【００３７】
請求項８によれば、故障状態または動作状態を故障分類または動作分類に、更に細分化して通報でき、サービスの対応を、より適切に行える。
【００３８】
請求項９によれば、聴覚で識別できる短パルスの断続音で、故障分類または動作分類を正確に通報する。
【００３９】
請求項１０によれば、使用者の負担が軽くなり、且つ、迅速なサービスを受けられる。
【００４０】
請求項１１によれば、騒音の大きいところからでも故障情報または動作情報の伝達を確実に行える。
【００４１】
請求項１２によれば、故障表示中または動作表示中でも室内を静かな環境に保ち、且つ、必要に応じて故障情報または動作情報を音でも確認できる。
【００４２】
請求項１３によれば、故障または動作の表示は明確にしつつも、静かさが戻り、且つ、省エネにもなる。
【００４３】
請求項１４によれば、組パルス中の短パルスを明確に聞き分けられ、故障分類または動作分類を細分化できる。
【発明を実施するための最良の形態】
【００４４】
以下図面を用いて本発明の空気調和機に係る実施例について説明する。
【実施例１】
【００４５】
以下、本発明の実施例について図を用いて説明する。図における同一符号は同一物または相当物を示す。
【００４６】
まず、空気調和機の全体構成について図１〜図４を用いて説明する。図１は実施例の空気調和機の構成図である。図２は空気調和機の室内機の断面図である。図３は室内機の上下風向板を開いた外観斜視図である。図４は室内機の表示装置の拡大図である。
【００４７】
空気調和機１は、室内機２と室外機６とを接続配管８で接続し、室内を空気調和する。室内機２は、筐体ベース２１の中央部に室内熱交換器３３を置き、室内熱交換器３３の下流側に室内熱交換器３３の幅と略等しい長さの横流ファン方式の室内送風機３１１を配置し、露受皿３５等を取り付け、これらを化粧枠２３で覆い、化粧枠２３の前面に前面パネル２５を取り付けている。この化粧枠２３には、室内空気を吸込む空気吸込み口２７と、温湿度が調整された空気を吹出す空気吹出し口２９とが上下に設けられている。室内熱交換器３３の空気流下流には室内送風機３１１が設けられ、室内送風機３１１が回転すると室内空気が室内機２に設けられた空気吸込み口２７から室内熱交換器３３，室内送風機３１１を通って室内送風機３１１の長さに略等しい幅を持つ吹出し風路２９０に流れ、吹出し風路２９０途中に配した左右風向板２９５で気流の左右方向を偏向され、更に、空気吹出し口２９に配した上下風向板２９１で気流の上下方向を偏向されて室内に吹出す。
【００４８】
筐体ベース２１には、室内送風機３１１，フィルター２３１，２３１′，室内熱交換器３３，露受皿３５，上下風向板２９１，左右風向板２９５等の基本的な内部構造体が取り付けられ、これらの基本的な内部構造体は、筐体ベース２１，化粧枠２３，前面パネル２５からなる筐体２０に内包され室内機２を構成する。
【００４９】
また、前面パネル２５の下部一側には、運転状況を表示する図４のような複数の発光部３９７−１〜６を持つ表示装置３９７と、別体のリモコン５からの赤外線の操作信号を受ける受光部３９６とが配置されている。
【００５０】
化粧枠２３の下面に形成される空気吹出し口２９は、前面パネル２５との分割部に隣接して配置され、奥の吹出し風路２９０に連通している。上下風向板２９１は、閉鎖状態で、吹出し風路２９０をほぼ隠蔽して室内機２の底面に連続する大きな曲面を有するように構成されている。この上下風向板２９１は、両端部に設けた回動軸を支点にして、リモコン５からの指示に応じて、駆動モータにより空気調和機１の運転時に所要の角度回動して空気吹出し口２９を開き、その状態に保持する。空気調和機１の運転停止時には、この上下風向板２９１は空気吹出し口２９を閉じるように制御される。
【００５１】
左右風向板２９５は、下端部に設けた回動軸を支点にして駆動モータにより回動され、リモコン５からの指示の応じて回動されてその状態に保持される。これによって、吹出し空気が左右の所望の方向に吹出される。なお、リモコン５から指示することにより、空気調和機１の運転中に上下風向板２９１，左右風向板２９５を周期的に揺動させ、室内の広範囲に周期的に吹出し空気を送ることもできる。
【００５２】
可動パネル２５１は、下部に設けた回動軸を支点として駆動モータにより回動され、空気調和機１の運転時に前側空気吸込み部２３０′を開くように構成されている。これによって、室内空気は、運転時に前側空気吸込み部２３０′からも室内機２内に吸引される。空気調和機１の停止時には、前側空気吸込み部２３０′は閉じるように制御される。
【００５３】
室内機２は、内部の電装品ボックスに制御基板を備え、この制御基板に室内機制御部１０が設けられる。この室内機制御部１０は、室内温度センサー，室内湿度センサー等の各種のセンサーからの信号を受けると共に、リモコン５からの操作信号を受光部３９６を介して受ける。この室内機制御部１０は、これらの信号に基づいて、室内送風機３１１，可動パネル駆動モータ，上下風向板駆動モータ，左右風向板駆動モータ等を制御すると共に、室外機６との通信を司り、室内機２を統括して制御する。また、制御基板の適所に、音発生装置３９５を備え、リモコン５からの信号を受信した時に、確認用の応答音を発する。
【００５４】
フィルター２３１，２３１′は、吸込まれた室内空気中に含まれる塵埃を取り除くためのものであり、室内熱交換器３３の吸込側を覆うように配置されている。露受皿３５は、室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００５５】
次に、空気調和機の全体制御について図５，図６を用いて説明する。図５は空気調和機の構成を示すブロック図である。図６は室内機のリモコン、（ｂ）は詳細設定ボタン部である。
【００５６】
空気調和機はリモコン５，室内機２，室外機６の各々に分かれて備えられたリモコン制御部，室内機制御部１０，室外機制御部により制御される。リモコン５には該リモコン制御部，操作ボタン，表示部，変調回路，送信部などが内蔵され、操作ボタンは普段良く使い、外部から直接押すことのできる外部操作ボタン５３と、普段はあまり使わない、扉５２の内部に隠されている内部操作ボタン５５がある。
【００５７】
操作ボタン５３，５５を押すとリモコン制御部は操作ボタンからの信号を読み込み、これをもとに空調動作の指示信号（操作情報）を出力する演算制御器として、例えば、マイコン等で構成されている。すなわち、操作器制御部は操作ボタンとともに、操作ボタンの操作に伴う操作情報を出力する操作手段を構成している。このとき、リモコン送信部５４からの信号を後述する室内機制御部１０が受付けたことを確認する応答音が後述する音発生装置３９５から発せられ、リモコン５の操作を明瞭に確認できる。
【００５８】
また、実施例の空気調和機には故障が起きた場合、または正常動作ではあるが使用者の意図とは異なる動作になる場合に（使用者が禁止操作をした場合も含む）、使用者にこれを報せるために、故障状態または動作状態を表示装置３９７の点滅で報せる機能が付いている。
【００５９】
この表示装置３９７が故障情報または動作情報を点滅表示で通報中に、特定の内部操作ボタン（実施例では内部操作ボタン５５ｈ＝「上下」ボタン：上下風向板の風向位置を変更する。）を長時間（実施例では５秒間以上）押し続けると、故障情報または動作情報に応じて後述する音発生装置３９５が断続鳴動する。
【００６０】
液晶表示部５１は操作ボタンの操作による空調動作の設定値（操作情報）を表示する表示装置として、例えば、液晶表示板等で構成されている。この表示内容の信号はリモコン制御部より出力される。送信部５４は電圧の印加により赤外線パルス等の無線信号を発信する素子、例えば、赤外線発光素子等で構成されている。変調回路は上記指示信号をもとに送信部への印加電圧を発生する回路である。変調回路および送信部５４は、送信手段として、上記指示信号を空気調和機の室内機２に向けて遠隔送信する。
【００６１】
室内機２は、受光部３９６，復調回路，室内機制御部１０，音発生装置３９５，室内機機構部，室内機駆動回路，室内センサー，表示装置３９７を備えて構成されており、空気調和機本体の、空調空間内に設置される部分であり、冷気，暖気等の空調空気を空調空間に放出する。
【００６２】
受光部３９６は、受信手段として、送信部５４からの赤外線パルス等の無線信号を受信して電気信号を発生する素子、例えば、赤外線受光素子等で構成されている。復調回路は受光部３９６からの電気信号を指示信号に復元する回路である。
【００６３】
室内機制御部１０は、鳴動制御手段，指示信号出力手段および風向板制御手段として、復調回路からの指示信号を読み込み、これに基づいて空気調和機の制御を行う部分であり、例えば、マイコン等で構成されている。また、室内機制御部１０には、後述の室内センサー，室外センサー等からの信号や、回路の短絡，開放状態等に応じて、空気調和機の意図しない動作や異常な状態を判断し、動作状態や故障状態を診断する診断部が内蔵され、診断結果に応じて特定の表示装置３９７の発光部３９７−１〜６を点滅表示させたり、音発生装置３９５を断続鳴動させて故障状態を通報する。
【００６４】
音発生装置３９５は電気信号により音を発生する鳴動手段として、例えば、圧電ブザー等で構成されている。この音発生装置３９５には室内機制御部１０からの電気信号が入力される。
【００６５】
室内機機構部は室内送風機３１１，上下風向板２９１，左右風向板２９５および上下，左右風向板回転用のモータ等の、空調空気の放出を行う駆動部分である。室内機駆動回路は室内機制御部１０が出力する制御信号にもとづいて、室内機機構部の駆動電力を発生する。室内センサーは温度，湿度，電気量等の、空気調和機の制御に必要な空調空間の情報や、冷凍サイクル，電気回路等の情報を計測する一連のセンサーであり、室内センサーの検出による情報が室内機制御部１０に入力される。
【００６６】
表示装置３９７は空気調和機が運転中であること、タイマーの予約がされていること等を点灯表示する「運転」，「タイマー」等の発光部３９７−１〜６からなり、発光ダイオード（ＬＥＤ）等の発光素子で構成されている。
【００６７】
実施例では図４のように表示装置３９７としてこの他、室内空気の汚れをモニターする「みはり」，フィルターの清掃動作中を示す「清掃」，空気清浄運転中を示す「清浄」，人センサーによる運転中を示す「センサー」の発光部（ＬＥＤ）３９７−３〜６を備えている。表示装置３９７の表示内容は室内機制御部１０によって制御される。また、室内機制御部１０は室外機６との間で制御信号の授受を行うようになっている。
【００６８】
室外機６は、室外機制御部，室外センサー，室外機駆動回路，室外機機構部を備え、空気調和機本体のうち屋外に設置される部分として構成されている。この室外機６は室内機２と接続配管８，接続ケーブルで結合されており、冷房時に熱を放出し、暖房時に熱を吸収することができる。室外機制御部は、室内機制御部１０とともに空気調和機の運転を制御する運転制御手段および空調制御手段を構成し、室内機制御部１０が出力する制御信号を読み込み、これに基づいて室外機６を制御する部分であり、例えば、マイコン等で構成されている。実施例では室外機制御部にも室外機に起因する故障または意図しない動作の診断部を内蔵させ、室内機制御部１０にその情報を伝達するようにしている。室外機機構部は圧縮機およびファン等の、冷媒を圧縮して上記熱の放出，吸収を行う駆動部分である。
【００６９】
室外機駆動回路は室外機制御部が出力する制御信号にもとづいて、室外機機構部に必要な駆動電力を発生する。室外センサーは、外気温，湿度，電気量等の、空気調和機の制御に必要な屋外の情報や、冷凍サイクル，電気回路等の情報を計測する一連のセンサーであり、室外センサーの検出による情報は室外機制御部を介して必要に応じて室内機制御部１０に入力される。
【００７０】
空気調和機を冷房運転する時には図２に破線で示すように上下風向板２９１は吹出し風路２９０の上壁２９０ａ，下壁２９０ｂと略平行な姿勢または水平な向きにして使用される。また、吹出された冷風が直接、在室者に当って不快感を生じさせる場合は、適宜、上下風向板２９１や左右風向板２９５の方向をリモコン５で変更し、在室者の周囲を快適な温湿度に保つ。
【００７１】
空気調和機を暖房運転する時には図２に点線で示すように上下風向板２９１はほぼ垂直に近い姿勢にして使用される。このようにすることにより、吹出し風路２９０を流れる温風は空気調和機から下方に向かって吹出し、床面近くまで到達し、足もと近くを暖め、室内を快適な環境にする。
【００７２】
次に、空気調和機が故障または意図しない動作をしたときの故障状態または動作状態の通報の方法について図７〜図１１を用いて説明する。図７は室内機の表示装置発光タイムチャート１である。図８は空気調和機の故障及び動作コード表、（ａ）は室内機の故障及び動作コード表、（ｂ）は室外機の故障及び動作コード表である。図９は室内機の鳴動発光タイムチャート１、（ａ）はブザー鳴動タイムチャート、（ｂ）はＬＥＤ発光タイムチャートである。図１０は室内機の音発生装置鳴動タイムチャート１である。図１１はタイムチャートの各部名称説明図である。
【００７３】
空気調和機の運転中に異常または意図しない動作が発生した場合に、これを通報する動作について説明する。異常とは過電流，過熱等、空気調和機が正常に動作しないことであり、意図しない動作とは異常ではないが使用者の意図する動作以外の動作をすることである。
【００７４】
空気調和機の運転中に異常または意図しない動作が発生すると、室内機制御部１０は異常または意図しない動作を示す通報信号を演算作成して出力する。異常または意図しない動作は室内機制御部１０、または室外機制御部の故障及び動作診断部のプログラムにより検出する。このとき、室内機制御部１０は異常または意図しない動作の内容に応じて、空気調和機の機能の一部又は全部を停止し、表示装置３９７の特定の発光部を点滅させる。
【００７５】
以下、異常な状態になった場合を例に採り、詳細に説明する。例えば、室外機６を狭い場所に据付けた時などに、据付け当初は室外機６の通風を妨げないように、必要かつ十分な空間を確保していたが、長年使用しているうちに、周囲に物や鉢植えを置いたり、植木が伸びて葉が繁ったりして室外機６の通風が十分で無くなると、冷房の場合、冷凍サイクルの高圧側圧力が上昇し、冷凍サイクルの圧縮機に過大な負荷がかかり、圧縮機の回転を維持できなくなって圧縮機が停止する。
【００７６】
この場合、空気調和機は送風運転は続けるものの冷房機能は停止し、室外機制御部の故障診断部で室外機６の回路各部の短絡，開放状態を総合判断して圧縮機過負荷下限カットと診断し、その情報を室内機制御部１０に送る。室内機制御部１０はこの情報に基づいて、表示装置３９７のみはりＬＥＤ３９７−３を図７のように０.３５秒間の消灯を挟んで０.３５秒間の点灯を５回繰返し、２秒間休む（消灯する）サイクルで繰返し点滅させる。
【００７７】
この点滅するＬＥＤの種類と点滅の回数の組合せと故障の状態は予めコード化されて図８のように故障コード表に纏められていて、点滅するＬＥＤの種類と点滅の回数で故障コード表を参照することで故障の状態を知ることができる。
【００７８】
このとき、空気調和機の使用者は、運転の操作をしても空気調和機が運転しないので、室内機２を注視し、表示装置３９７が点滅していることに気付く。表示装置３９７の点滅に気付いた使用者は、空気調和機を購入した販売店、又は、製造者のサービス部門に、運転を再開する方法を、多くの場合電話で問い合わせる。
【００７９】
問い合わせを受けた販売店又はサービス部門の担当者は、使用者の問い合わせにより、空気調和機の型式，故障現象などを把握する。しかし、使用者が電話する時点で、どのＬＥＤが何回点滅しているかを正確に覚えていることは稀で、使用者からの故障状態の通報は、「空気調和機が運転しない」，「空気調和機のＬＥＤが点滅している」の２点くらいに留まるのが普通である。
【００８０】
これに対して、どのＬＥＤが何回点滅しているかを尋ねると、使用者に点滅しているＬＥＤに書いてある字を読み取ってもらい更に、その回数を目を凝らして数えて貰わなければならない。
【００８１】
しかし、これを尋ねると、使用者の目の良否、外国人の場合は字の識別力、回数を数えている間の瞬きの禁止等、使用者に不快な負担を強いることにもなりかねず、空気調和機が使えない状況でのイライラも手伝って、使用者が怒り出してしまい、必要な情報が取れない場合も多々有る。
【００８２】
このため、サービスマンを使用者宅まで派遣し、故障情報を正確に把握した後に、簡単な修理であれば、その場で修理することもできるが、簡単な修理で無い場合は、再訪を約し、必要なパーツ，工具，技術を確認して、本格修理に向かうため、簡単な修理で無い場合は、掛かる時間が更に長く掛かってしまう。
【００８３】
その間、使用者に我慢を強いることになると共に、サービス部門としても故障情報の正確な把握のためだけに使用者宅を訪れなければならず、修理の効率が上がらない悩みがあった。
【００８４】
本発明の空気調和機はこのような時に効果を発揮するもので、サービス部門の担当者が使用者から型式，故障現象などを聞いた後、この空気調和機がブザー音による故障通報機能があることを告げ、「ピッピッ」と言う音と「ピーッ、ピーッ、ピーッ、」と言う音のように、ブザー音をまねして見せ、ブザー音の鳴動方法を教えて、ブザー音の鳴動を依頼する。
【００８５】
実施例ではブザーを鳴動させる方法として、リモコン５の内部操作ボタン５５ｈ（「上下」ボタン）を５秒以上押すという方法を採用し、ブザー３９５が鳴動している時に同じ上下ボタン５５ｈを５秒以上長く押すことにより、ブザー３９５の鳴動が停止するように構成した。
【００８６】
ブザー音の鳴動方法がリモコン５の特定ボタンの長押しだけであるので、慣れない使用者でも容易に操作でき、ブザー音を聞くと、いつもリモコン５を操作したときに聞く応答音が断続して鳴動するので、直ぐに、それと判る。
【００８７】
続いて、担当者は電話の送話口を空気調和機に近づけて、例えば、１分間ブザー音を聞かせて貰えるように依頼する。電話が固定電話の場合は送話口を空気調和機に近づけるのが困難な場合も有るが、携帯電話が普及している昨今ではこの依頼も簡単に適えられる。
【００８８】
ブザー３９５の鳴動音の周波数は０.３kHz〜３.４kHzに設定されているので、固定電話でも、携帯電話でも伝送可能であり、好ましくは１.８kHz以上と人の普通の話し声の中心帯域である男０.８kHz，女１.２kHzから離れた帯域に選定してあるので、人の話し声から聞き分けやすく、サービス部門の担当者は電話を通して、空気調和機が発する故障情報を明瞭に聴くことができる。
【００８９】
実施例では、電話による伝送が可能で、市場での入手のし易さも考慮して、ブザー３９５の鳴動音の周波数を２kHzとしている。
【００９０】
ブザー３９５の鳴動音は図９（ａ）のように、短いパルス音と長いパルス音の組合せで構成される。説明の例では、短い「ピッピッ」と言う音が２回有り、長い休止時間があって次にやや長い「ピーッ、」と言う音が「ピーッ、・・・・、ピーッ、・・・・、ピーッ、・・・・、ピーッ、・・・・、ピーッ、」と５回続いて、長い休止時間が有り、以下、長い休止時間を挟んで「ピッピッ」と「ピーッ、・・・・、ピーッ、・・・・、ピーッ、・・・・、ピーッ、・・・・、ピーッ、」が繰返される。このとき、室内機２の表示装置３９７のみはりＬＥＤ３９７−３が図９（ｂ）のように長いパルス音に同期して点滅する。
【００９１】
ここで、鳴動音の各部の呼称とその長さについて図１０，図１１を用いて説明する。
【００９２】
通報音の１周期は通報音サイクルであり、説明の例では１３.９５秒で有り、故障状態によってその長さは異なり、実施例では最長で３０秒以内に抑えるようにした。
【００９３】
鳴動音サイクルは短いパルスの断続である短パルス部と、長いパルスの断続である長パルス部と、これらを区切る消音部１，消音部２で構成される。
【００９４】
短パルス部は短停止部を挟んだ複数の短パルスからなる組パルスで構成され、組パルス間には組停止部が設けられている。１個の組パルスと１個の組停止部の合体を組サイクルと言い、１個の短パルスと１個の短停止部の合体を短パルスサイクルと言う。
【００９５】
短停止部は短パルスを「ピッピッ・・・」と聞き分けられるように０.０３秒以上とし、実施例では０.０５秒とした。また、組停止部は組パルス中の短パルスの断続と誤解を与えないよう、短停止部の３倍以上の長さをとり、実施例では０.５秒とした。
【００９６】
消音部１，２は３秒以上とし、実施例では５秒とした。これは、短パルス部の組パルスの数と組パルス中の短パルスの数や、長パルスの数をメモなどに記入するための時間で、メモを取ることにより、勘違いなどを防いで、確実に故障情報を把握することができる。
【００９７】
長パルス部は長パルスで構成され、長パルス間には長停止部が設けられている。１個の長パルスと１個の長停止部の合体を長パルスサイクルと言う。長パルス部は表示装置３９７の点滅と同期させて、同じ故障内容を表示していることを理解し易くさせ、混乱を防いでいる。このようにするため、長停止部の長さは表示装置３９７の点滅を視覚の残像の影響があっても見分けられるように、０.２秒以上とし、実施例では０.３５秒とした。
【００９８】
電話口のサービス部門の担当者はブザー音を聞き分け、組パルス中の短パルスの数と組パルスの数を数え、消音部１でメモにとる。このとき、短パルスの数と組パルスの数をリズムとして捕らえて覚えると聞き分けがうまく行く。次いで、長パルスの数を数えて、消音部２でメモにとる。
【００９９】
ブザー音を聞かせて貰う時間は１分とお願いしてあるので、少なくとも２サイクルの鳴動音を聞くことができ、コード化された故障情報を正確に把握できる。故障コード（コード化された故障情報）を正確に把握した担当者は、故障コードを予め定めてある故障コード表と対比し、故障状態を知ることができる。
【０１００】
故障状態を把握した担当者は、使用者自身が解決できるような故障か、サービスマンの派遣が必要な故障かを伝え、使用者の意向を確認し、使用者がサービスマンの派遣を希望すれば、故障状態に応じたパーツ，工具，技術，資料を確認して、これらを持ったサービスマンの派遣を手配する。
【０１０１】
サービス部門の担当者は故障状態を把握した後、ブザー音を停止する操作を使用者に伝え、室内の静かな環境を取戻せるようにする。
【０１０２】
故障情報に応じた十分、且つ、過大で無い適切なパーツ，工具，技術，資料を持ったサービスマンは使用者宅を訪問し、表示装置３９７のＬＥＤ３９７−２〜６を確認して、必要に応じてより詳しく空気調和機内部を点検し、修理し、完了する。
【０１０３】
このように、使用者からの最初の問い合わせの時に、故障情報を正確に把握できるので、修理までの時間に無駄が無く、修理を効率よく、短期間で完了させることができる。
【０１０４】
次に、他の故障の場合について図１２，図１３を用いて説明する。図１２は室内機の表示装置発光タイムチャート２である。図１３は室内機の鳴動発光タイムチャート２、（ａ）はブザー鳴動タイムチャート、（ｂ）はＬＥＤ発光タイムチャートである。
【０１０５】
また、次の例として、室内機２と室外機６をつなぐ接続ケーブルの室内側端子台との接続に差込み長さ不足などで接続が不完全となった場合、接続ケーブルと端子台との接触部に熱を持ち、経年的に酸化が進むなどして接触抵抗が増大し、更に、接触部の温度が上がり、端子台に沿って設けた温度ヒュ−ズが溶断する。この場合、空気調和機は停止し、室内機制御部１０の故障診断部で回路各部の短絡，開放状態を総合判断して室内機２の端子台温度ヒューズの溶断と診断し、表示装置３９７のタイマーＬＥＤ３９７−２を図１２のように０.３５秒間の消灯を挟んで０.３５秒間の点灯を３回繰返し、２秒間休む（消灯する）サイクルで繰返し点滅させる。
【０１０６】
空気調和機が運転しないことと、表示装置３９７が点滅していることから、前述と同様のプロセスでサービス部門への故障情報の伝達が行われる。
【０１０７】
前述と同様に、リモコン５の上下ボタン５５ｈを５秒以上押すと、ブザー３９５が図１３（ａ）のように鳴動する。ブザー３９５の鳴動音は図１３（ａ）のように、短い「ピッピッ」と言う音が１回有り、長い休止時間があって次にやや長い「ピーッ、」と言う音が「ピーッ、・・・・、ピーッ、・・・・、ピーッ、」と３回続いて、長い休止時間が有り、以下、長い休止時間を挟んで「ピッピッ」と「ピーッ、・・・・、ピーッ、・・・・、ピーッ、」が繰返される。このとき、室内機２の表示装置３９７のタイマーＬＥＤ３９７−２が図１３（ｂ）のように長いパルス音に同期して点滅する。サービス部門の担当者がこの鳴動音を電話で聞き分けることにより、早い段階で、故障内容を正確に把握することができる。
【０１０８】
このブザーの断続とＬＥＤの点滅により、図８の故障コード表を参照して故障の内容を「室内機２の端子台温度ヒューズの溶断」と知ることができる。
【０１０９】
このように、故障状態を系統的に区分し、故障分類（大分類）で故障の部位を報せ、小分類で故障の内容を報せるようにすると、故障の状態を判りやすく細分化でき、故障状態の把握に役立つ。実施例では、ブザー３９５の鳴動の組パルスの中の短パルスの数と、組パルスの数で故障部位を区分し、例えば、「ピッピッ」と言う短い断続音が１回の場合は室内機、「ピッピッ」と言う音が２回の場合は室外機と言うように分けて報せる。
【０１１０】
更に、「ピーッ、・・・・、」言う長い断続音の回数で故障の内容を区分し、例えば、「ピッピッ」と言う短い断続音が１回で消音部を挟んで「ピーッ、」言う長いパルス音が３回した場合は室内機２の端子台温度ヒューズの溶断、「ピッピッ」と言う短い断続音が２回で消音部を挟んで「ピーッ、」言う長いパルス音が５回した場合は室外機６の過負荷下限カットのように系統的に区分する。
【０１１１】
表示装置３９７の点滅についても、同様に、ＬＥＤの種類で故障部位を区分し、点滅がタイマーＬＥＤ３９７−２の場合は室内機、みはりＬＥＤ３９７−３の場合は室外機と言うように分けて報せる。
【０１１２】
更に、ＬＥＤの点滅の回数で故障の内容を区分し、タイマーＬＥＤ３９７−２が３回点滅した場合は室内機２の端子台温度ヒューズの溶断、みはりＬＥＤ３９７−３が５回点滅した場合は室外機６の過負荷下限カットのように報せる。
【０１１３】
以上、空気調和機が故障した場合について述べたが、空気調和機が意図しない動作をした場合も、前述と同様に、表示装置３９７に動作状態が点滅で示される。意図しない動作なので、使用者は製造者のサービス部門または販売店に問い合わせる。
【０１１４】
問い合わせを受けたサービス部門の担当者は、前述と同様に、ブザー３９５の鳴動を依頼し、動作情報を直接耳で聞き識別する。担当者は動作情報と動作コード表から空気調和機の動作状態を把握する。空気調和機の動作状態を把握した担当者は使用者に現在の空気調和機の動作状態を説明し、禁止操作が受付けられなかったことや正常運転でそのまま運転を続けて支障ないことなどを伝えることができる。この結果、使用者の懸念は解消され、空気調和機への理解も深まって、次に、同様のことが起こっても、正しく対処でき、無駄な電話をすることが無くなる。また、サービス部門にとっても、使用者宅の正常状態の空気調和機へ無駄にサービスマンを派遣することが無くなり、サービスマンの適正な運用が行われる。
【０１１５】
このように、実施例の空気調和機は、点滅可能な表示装置とリモコン操作応答用のブザーとを備え、該ブザーの鳴動音の０.０２〜２０kHzの範囲のピークが０.３kHz〜３.４kHzにあり、故障情報または動作情報を該表示装置の点滅、及び、該ブザーの断続音で通報する。
【０１１６】
一般に、電話の音声帯域周波数は０.３kHz〜３.４kHzであり、この範囲であれば、良好に通話が可能である。
【０１１７】
また、家電品には故障が起きた場合、または正常動作ではあるが使用者の意図とは異なる動作になる場合に（使用者が禁止操作をした場合も含む）、使用者にこれを報せるために、故障状態または動作状態を表示器で報せるものがあるが、その情報は、コード化されていて、製造者のサービス部門や販売店の担当者でなければその情報を正確に把握することは難しく、故障の修理または意図しない動作の解消をサービス部門に依頼する時に、慣れていない使用者が表示器の点滅状況を電話で正確に伝えることは困難であり、結局、サービスマンが使用者宅を訪問し、直接故障状態または動作状態を確認する必要が有った。このため、正常な動作の場合は無駄足になり、故障の場合もごく軽微な故障以外は、最初の訪問の時に修理できることは少なく、多くの場合、最初の訪問では故障状態の把握に留まり、日を改めて、修理に必要な技術，部品，資料等を整えて再度訪問し修理することが行われている。
【０１１８】
実施例の空気調和機によれば、故障または意図しない動作をした時に、点滅の故障表示または動作表示の他に、ブザーを鳴動させることができる。このブザーの鳴動による通報音は電話で伝達できる音声帯域の中にあるので、この通報音を電話を通じて、機器の製造者のサービス部門に伝達することができる。これにより、空気調和機の故障情報または動作情報を慣れているサービス部門の者が聞き分け正確に把握することができる。
【０１１９】
このように、機器のサービス部門は使用者から聞いた故障または動作の状況に加えて、空気調和機自体が自ら故障診断または動作診断した結果を自分の耳で聞くことができ、空気調和機の故障状態または動作状態を正確に知ることができる。
【０１２０】
これにより、使用者からのサービス要求の時点で空気調和機の故障状態または動作状態を正確に把握できるので、正常運転の場合は無駄足を踏むことが無く、故障の場合もサービスマンが使用者宅を訪問する時に、修理に必要な技術，部品，手順等を予め用意することができ、迅速な修理が行われる。
【０１２１】
このため、サービス依頼への対応が早くなって、使用者，製造者双方の利益になる空気調和機を提供することができる。
【０１２２】
なお、この場合、空気調和機には運転の状況を表示するＬＥＤやリモコンの操作による信号を受信したことを通報する応答確認用のブザーが備わっていることが多く、部品を増加させることなく、機能を追加することができてコストパフォーマンスが良い。
【０１２３】
また、表示器の点滅に同期してブザーがなるので関連を認識しやすく、使用者を混乱させない。
【０１２４】
また、近年は、携帯電話が普及しているので、通報音を伝える時には、携帯電話を空気調和機の通報部にかざして、近いところから通報音を聞かせるので、通報音をむやみに大きくする必要も無い。
【０１２５】
更にまた、修理のために使用者宅を訪問して、空気調和機から直接故障情報を受ける時も、故障情報がブザーの鳴動で通報されるので、通報音を耳で聞きながらメモを取ることができる。従来のように表示器による点滅だけの場合は、点滅の数を数えようとすると、目を表示器に向けたままメモを取らなければならず、取ったメモが正確かどうか不確かになる。かといってメモに目を向けると、点滅を見逃す恐れが有り都合が悪い。
【０１２６】
本発明では、通報音を耳で聞きながら、目はしっかりとメモを見て正確にメモを取ることができるので、通報音のパルスを間違えたり、不正確なメモになる恐れが少なくなる。
【０１２７】
なお、表示装置の点滅を、表示装置の点灯／減光に代えても同様の効果を得ることができるのは勿論のことである。
【０１２８】
また、実施例の空気調和機は、前記ブザーの鳴動音の０.０２〜２０kHzの範囲のピークが１.８kHz〜３.４kHzである。
【０１２９】
一般に、人が話す時の音声の周波数は男性で０.１kHz〜８kHz，女性で０.１５kHz〜１０kHzと言われ、その中心帯域は男性で０.８kHz，女性で１.２kHzと言われている。
【０１３０】
実施例の空気調和機によれば、通報音の周波数を音声の中心帯域から離して、電話で伝達可能な上限の周波数側に近づけたので、人の話し声と重なっても聞き分けやすく、通報音を明確に識別することができ、聞き間違いや聞きにくいための再度の聞きなおしが少なくなる。
【０１３１】
このため、使用者のサービス部門への情報伝達の負担が小さい空気調和機を提供することができる。
【０１３２】
また、実施例の空気調和機は、断続音が断続間隔の短いパルス音で構成される短パルス部と、断続間隔の長いパルス音で構成される長パルス部と、短パルス部と長パルス部を区切る消音部との組合せからなる。
【０１３３】
これにより、電話でも識別しやすいパルス音の長短で故障分類または動作分類と故障内容または動作内容を区別して通報できるので、サービス部門の担当者が識別しやすく、聞き間違いや聞きにくいための再度の聞きなおしが少なくなって、故障情報または動作情報の伝達が円滑になり、使用者とサービス部門のコミュニケーションが良くなって良好な関係が築かれる。
【０１３４】
また、短パルス部と長パルス部の間に長い消音部を設けたので、サービス部門の担当者が電話を受けた時に、短パルス部を聞いた後の消音部で１組のパルス数と短パルス部の組数をメモし、次の長パルスの数を数えてその後の消音部でその数をメモすることができ都合が良い。
【０１３５】
このため、使用者のサービス部門への情報伝達の負担が小さい空気調和機を提供することができる。
【０１３６】
また、実施例の空気調和機は、前記短パルス部で故障分類または動作分類を通報し、前記長パルス部で故障内容または動作内容を通報する。
【０１３７】
これにより、聞き取りやすい断続間隔の短いパルス音で故障通報または動作通報を感知し、そのリズムで故障分類または動作分類を知り、その後の断続間隔の長いパルス音の数で故障または動作の内容を知る。
【０１３８】
このように、長短２種類のパルス音に故障分類または動作分類と故障内容または動作内容を割り付けることで、通報できる故障または動作の内容の数を増やすことができ、故障または動作の内容を詳細に細分化して通報することができるようになり、サービスの対応が適切、且つ、早くできるようになって、使用者の不満が軽減される。
【０１３９】
このため、故障状態または動作状態を故障分類または動作分類で細分化して通報し、サービスの対応を適切に行える空気調和機を提供することができる。
【０１４０】
また、実施例の空気調和機は、前記消音部の長さが３秒以上である。
【０１４１】
これにより、長短パルスの数を確認した後に、その数をメモにとる時間が確保され、故障情報または動作情報を正確に記録でき、聞き返したりして、使用者に重ねての負担をかけることが少なくなる。
【０１４２】
このため、故障情報または動作情報が確実，正確に通報され、使用者の負担が少ない空気調和機を提供することができる。
【０１４３】
また、実施例の空気調和機は、長パルス部の断続音に同期して、短パルス部の断続音の断続パターンに応じた表示装置の特定の発光部を点滅させる。
【０１４４】
これにより、短パルス部の通報音の断続パターンが示す故障分類または動作分類ごとに、発光部を変えて、点滅発光させるので、周囲の騒音が大きく音発生装置の断続が明瞭に聞き取れない場合でも、サービスマンが使用者宅を訪問し、故障情報または動作情報を確認する時に、表示装置の点滅している発光部の位置と点滅の回数で故障分類または動作分類と故障内容または動作内容が判別できる。
【０１４５】
また、逆に、据付け位置や照明の関係で表示装置の点滅が良く見えない場合でも、音発生装置の断続で故障分類または動作分類と故障内容または動作内容が判別できる。このように、音発生装置と表示装置の両方で故障情報または動作情報を通報するので、どちらか一方で故障情報または動作情報を確認でき、故障情報または動作情報が確認できなくて、原因究明に手間取ることが無くなり、修理の迅速化につながる。
【０１４６】
このため、音発生装置と表示装置の何れか一方を使用して、故障状態または動作状態を適切に把握できる空気調和機を提供することができる。
【０１４７】
また、実施例の空気調和機は、前記短パルス部は複数の断続間隔の短いパルス音の組の１組又は複数組で構成され、前記長パルス部は単発又は複数の断続間隔の長いパルス音で構成されている。
【０１４８】
これにより、短パルス部が複数の短パルスサイクルからなる組パルスで構成されるため、長パルス部と明らかに違った断続音になって、系統的に故障状態または動作状態を階層分類する時の上位，下位のデータのいずれであるかを直感的に感知することができる。また、電話を受けたサービス部門の担当者が使用者に状況を説明して空気調和機からの通報音を電話で伝達するよう依頼する場合など、未経験者に、言葉で説明する時に「ピッピッ」と言う音、「ピー」と言う音のように使用者に説明でき、使用者も音の違いを明確に認識できるので、サービス部門の依頼に応じやすく、修理に向けての活動が円滑に進み、使用者，サービス部門の両方に好都合である。更に、組パルス中の短パルスサイクルの数を変えることで、通報できる故障または動作の種類，故障または動作の内容の数を更に増やすことができ、故障または動作の内容を詳細に細分化して通報することができるようになり、サービスの対応が適切、且つ、早くできるようになって、使用者の不満が軽減される。
【０１４９】
このため、故障状態または動作状態を故障分類または動作分類に、更に細分化して通報でき、サービスの対応を、より適切に行える空気調和機を提供することができる。
【０１５０】
また、実施例の空気調和機は、前記短パルス部は、断続間隔の短い５パルス以下の短パルスからなる組パルスで構成されている。
【０１５１】
一般に、短いパルス音の断続は、数が少ないうちはリズムの一部として捕らえることができる。例えば、２発の短パルスはピッピッ，３発の短パルスはピッピッピッ，４発の短パルスはピッピッピッピッ，５発の短パルスはピッピッピッピッピッと言うリズムになる。しかし、数が多くなってくると連続した単調な音に聞こえて、その数を正確に数えることが難しくなる。
【０１５２】
勿論、人によっては６発以上の断続した短パルスでもリズムとして捉えることも可能であるが、パルスの数が多くなってくると、そのような人も急激に減少してくる。一般的には、少し訓練すれば５発位までの短パルスはリズムとして識別が可能になる。
【０１５３】
実施例の空気調和機によれば、５パルス以下の短パルスであるので、容易にこれをリズムとして捕らえることができ、識別に迷いを生ずることは無い。
【０１５４】
このため、聴覚で識別できる短パルスの断続音で、故障分類または動作分類を正確に通報する空気調和機を提供することができる。
【０１５５】
この場合、ブザーによる故障分類に表示装置のＬＥＤが不足する場合も生ずるが、複数のＬＥＤを同時に点滅させるなどの方法を採ることにより支障なく対処できる。
【０１５６】
また、実施例の空気調和機は、通報音の繰返し間隔を３０秒以内とする。
【０１５７】
一般に、人が覚醒している時には、生理的に静止し続けることはできず、数分の中で意識的にあるいは無意識のうちに手，脚，顔など体の一部を動かしている。このため、サービス部門に電話し、故障情報を通報音で伝える時に、その通報音の１周期の間、携帯電話を空気調和機にかざして無言で通報が一回りするのを待たなければならないが、通報音の周期が長いと、途中で携帯電話を持っている人の体が揺れて、携帯電話が空気調和機から離れて、受話しているサービス部門の担当者への伝達音が小さくなって、聞き取れなくなったり、時間が来るのを待ち切れなくなって通報音の伝達を途中で止めてしまったりして、再度、始めから伝達し直さければならず、使用者の負担が大きい。
【０１５８】
実施例の空気調和機によれば、通報音の繰返しの周期が短いので、伝達時間が短縮され、使用者の負担が軽くなり、故障情報または動作情報のサービス部門への伝達が円滑に行われて、サービス部門の故障情報または動作情報の把握が早い段階で行われ、素早い対応が可能になる。
【０１５９】
このため、使用者の負担が軽くなり、且つ、迅速なサービスを受けられる空気調和機を提供することができる。
【０１６０】
また、実施例の空気調和機は、通報音の音量を複数段階に変更可能である。
【０１６１】
これにより、周囲の騒音環境に応じて、通報音の強さを加減でき、騒音の大きいところからでも故障情報または動作情報を伝えることができる。
【０１６２】
このため、騒音の大きいところからでも故障情報または動作情報の伝達を確実に行える空気調和機を提供することができる。
【０１６３】
また、実施例の空気調和機は、故障通報中または動作通報中に通報音の停止及び開始の操作が可能である。
【０１６４】
これにより、必要に応じて、使用者に操作を教えて故障情報または動作情報を通報音で通報させ、電話を介して聞くことで、故障状態または動作状態を把握することができる。また、その後、通報音を停止させ、室内に静けさを取戻させることもできる。このとき、同期している表示装置の点滅は継続し、故障であること、修理が必要であること、または意図しない動作中であることを表示し続けるようにすると良い。
【０１６５】
このため、故障表示中または動作表示中でも室内を静かな環境に保ち、且つ、必要に応じて故障情報または動作情報を音でも確認できる空気調和機を提供することができる。
【０１６６】
また、実施例の空気調和機は、通報音の継続時間を制限する。
【０１６７】
これにより、ブザー停止の操作をしなくても、所定時間後にはブザーは停止し、停止操作の方法が判らない時や、就寝時や、不在の時でも、室内は静かになり、故障または意図しない動作に対して冷静に対処できるようになると共に、ブザーを停止させることで少しでは有るが省エネになる。このとき、前述のように、同期している表示装置の点滅は継続させるのが良い。使用者が点滅に気付いて、サービス部門に電話し、サービス部門の担当者に聞いて、故障通報音または動作通報音の再開の操作をすることで、空気調和機の故障情報または動作情報を通報音でサービス部門に伝達でき、サービスを受けることができる。
【０１６８】
このため、故障または動作の表示は明確にしつつも、静かさが戻り、且つ、省エネにもなる空気調和機を提供することができる。
【０１６９】
また、実施例の空気調和機は、前記複数の短パルス間の短停止部長さが３０ms以上で、且つ、組パルス間の組停止部の長さの１／３以下である。
【０１７０】
一般に、ブザーにパルスを加えて鳴動させ、パルスの間隔を段々短くして行くと、始めは断続が明確に区別できていたものが、次第に断続の区別が付かなくなり、加えるパルスが断続していても耳には連続した音として聞こえるようになる。
【０１７１】
これは、聴覚の伝達機構の物理的な運動の速度がパルスの断続に追いつかない状態になるためと思われるが、その限界の断時間はおよそ３０msである。パルスのオフから次のパルスのオンまでの時間がこれ以下になると、断続した音として聞こえず、連続した音として聞こえるようになる。
【０１７２】
実施例の空気調和機によれば、パルス間の短停止部長さを３０ms以上にしたので、断続した音として、短パルスを捕らえることができ、また、組停止部の長さの１／３以下にしたので、組パルスの停止時間と混同することが無く、明確に区別することができる。
【０１７３】
このため、組パルス中の短パルスを明確に聞き分けられ、故障分類または動作分類を細分化できる空気調和機を提供することができる。
【０１７４】
なお、実施例では短パルスで故障分類または動作分類を示し、長パルスで故障内容または動作内容を示すようにしたが、長短パルスの役割を逆転させて、長パルスで故障分類または動作分類を示し、短パルスで故障内容または動作内容を示すようにしても、同様の効果を得ることができるが、この場合、ブザー音と同期させる表示装置３９７の点滅は、ブザー音と同様の短パルスの断続では、短停止部が短すぎて残像が残り、短パルスを視覚的に識別できないので、組パルスの長さを持つパルスの点滅とするのが良い。
【０１７５】
また、表示装置３９７の他のＬＥＤへの故障分類の割り当てについて図１４を用いて説明する。図１４は故障分類または動作分類の例である。
【０１７６】
実施例では、表示装置３９７のＬＥＤのうちみはりＬＥＤ３９７−３とタイマーＬＥＤ３９７−２についてのみ説明しているが、他のＬＥＤについても故障分類または動作分類を割り当て、例えば、清掃ＬＥＤ３９７−４はフィルターの清掃機構の故障または意図せぬ動作、清浄ＬＥＤ３９７−５は空気清浄機構の故障または意図せぬ動作、センサーＬＥＤ３９７−６は人検知機構の故障または意図せぬ動作、運転ＬＥＤ３９７−１は暖房運転時の意図せぬ動作を表示するようにして、故障内容または動作内容を系統的に分類すると、故障内容または動作内容の把握がより正確になる。
【０１７７】
これに合わせて、ブザー音の短パルス部を図１４のように、清掃機構の故障または意図せぬ動作の場合、３個の短パルスを１回、空気清浄機構の故障または意図せぬ動作の場合、３個の短パルスを２回、人検知機構の故障または意図せぬ動作の場合、３個の短パルスを３回、暖房運転時の意図せぬ動作の場合、２個の短パルスを３回のように構成して鳴動させる。
【０１７８】
また、実施例では、故障分類または動作分類を故障部位または動作部位で区分したが、故障現象または動作現象，故障機能または動作機能などによって分類しても良く、また、修理の難易度，修理の緊急性，修理費用の高低など、他の区分方法によることもできる。このようにすれば、故障または意図せぬ動作が発生する形態に応じて、多様な機器に本発明を適用し、迅速な修理または機能の回復を希求することができる。
【０１７９】
また、実施例では、ブザー３９５の断続パターンによって故障内容または動作内容を把握するようにしているが、ブザー音の音調，音階，強弱を変えて、故障内容または動作内容を通報するようにしても同様の効果を得ることができるのは言うまでも無い。
【０１８０】
以上説明したように、請求項１記載の空気調和機によれば、点滅可能な表示装置と、リモコンからの操作に応答して断続音を発生する音発生装置と、を備えた空気調和機において、故障情報または動作情報により前記表示装置が点滅した後、前記リモコンからの操作に応答して、前記音発生装置から発生する前記故障情報または前記動作情報に対応した断続音が通報される。
【０１８１】
また、請求項２の空気調和機によれば、前記音発生装置の断続音の０.０２〜２０kHzの範囲のピークが０.３kHz〜３.４kHzである。
【０１８２】
これにより、故障または意図しない動作をした時に、点滅の故障表示または動作表示の他に、ブザーを鳴動させることができる。このブザーの鳴動による通報音は電話で伝達できる音声帯域の中にあるので、この通報音を電話を通じて、機器の製造者のサービス部門に伝達することができる。これにより、空気調和機の故障情報または動作情報を慣れているサービス部門の者が聞き分け正確に把握することができる。
【０１８３】
このように、機器のサービス部門は使用者から聞いた故障または動作の状況に加えて、空気調和機自体が自ら故障診断または動作診断した結果を自分の耳で聞くことができ、空気調和機の故障状態または動作状態を正確に知ることができる。
【０１８４】
これにより、使用者からのサービス要求の時点で空気調和機の故障状態または動作状態を正確に把握できるので、正常運転の場合は無駄足を踏むことが無く、故障の場合もサービスマンが使用者宅を訪問する時に、修理に必要な技術，部品，手順等を予め用意することができ、迅速な修理が行われる。
【０１８５】
このため、サービス依頼への対応が早くなって、使用者，製造者双方の利益になる空気調和機を得ることができる。
【０１８６】
また、請求項３記載の空気調和機によれば、前記音発生装置の断続音の０.０２〜２０kHzの範囲のピークが１.８kHz〜３.４kHzである。
【０１８７】
これにより、通報音の周波数を音声の中心帯域から離して、電話で伝達可能な上限の周波数側に近づけたので、人の話し声と重なっても聞き分けやすく、通報音を明確に識別することができ、聞き間違いや聞きにくいための再度の聞きなおしが少なくなる。
【０１８８】
このため、使用者のサービス部門への情報伝達の負担が小さい空気調和機を得ることができる。
【０１８９】
また、請求項４記載の空気調和機によれば、前記断続音が断続間隔の短いパルス音で構成される短パルス部と、断続間隔の長いパルス音で構成される長パルス部と、短パルス部と長パルス部を区切る消音部との組合せからなる。
【０１９０】
これにより、電話でも識別しやすいパルス音の長短で故障分類または動作分類と故障内容または動作内容を区別して通報できるので、サービス部門の担当者が識別しやすく、聞き間違いや聞きにくいための再度の聞きなおしが少なくなって、故障情報または動作情報の伝達が円滑になり、使用者とサービス部門のコミュニケーションが良くなって良好な関係が築かれる。
【０１９１】
また、短パルス部と長パルス部の間に長い消音部を設けたので、サービス部門の担当者が電話を受けた時に、短パルス部を聞いた後の消音部で１組のパルス数と短パルス部の組数をメモし、次の長パルスの数を数えてその後の消音部でその数をメモすることができ都合が良い。
【０１９２】
このため、使用者のサービス部門への情報伝達の負担が小さい空気調和機を得ることができる。
【０１９３】
また、請求項５記載の空気調和機によれば、前記短パルス部で故障分類または動作分類を通報し、前記長パルス部で故障内容または動作内容を通報する。
【０１９４】
これにより、聞き取りやすい断続間隔の短いパルス音で故障通報または動作通報を感知し、そのリズムで故障分類または動作分類を知り、その後の断続間隔の長いパルス音の数で故障または動作の内容を知る。
【０１９５】
このように、長短２種類のパルス音に故障分類または動作分類と故障内容または動作内容を割り付けることで、通報できる故障または動作の内容の数を増やすことができ、故障または動作の内容を詳細に細分化して通報することができるようになり、サービスの対応が適切、且つ、早くできるようになって、使用者の不満が軽減される。
【０１９６】
このため、故障状態または動作状態を故障分類または動作分類で細分化して通報し、サービスの対応を適切に行える空気調和機を得ることができる。
【０１９７】
また、請求項６記載の空気調和機によれば、前記消音部の長さが３秒以上である。
【０１９８】
これにより、長短パルスの数を確認した後に、その数をメモにとる時間が確保され、故障情報または動作情報を正確に記録でき、聞き返したりして、使用者に重ねての負担をかけることが少なくなる。
【０１９９】
このため、故障情報または動作情報が確実，正確に通報され、使用者の負担が少ない空気調和機を得ることができる。
【０２００】
また、請求項７記載の空気調和機によれば、前記長パルス部の断続音に同期して、前記短パルス部の断続音の断続パターンに応じた前記表示装置の特定の発光部を点滅させる。
【０２０１】
これにより、短パルス部の通報音の断続パターンが示す故障分類または動作分類ごとに、発光部を変えて、点滅発光させるので、周囲の騒音が大きく音発生装置の断続が明瞭に聞き取れない場合でも、サービスマンが使用者宅を訪問し、故障情報または動作情報を確認する時に、表示装置の点滅している発光部の位置と点滅の回数で故障分類または動作分類と故障内容または動作内容が判別できる。
【０２０２】
また、逆に、据付け位置や照明の関係で表示装置の点滅が良く見えない場合でも、音発生装置の断続で故障分類または動作分類と故障内容または動作内容が判別できる。このように、音発生装置と表示装置の両方で故障情報または動作情報を通報するので、どちらか一方で故障情報または動作情報を確認でき、故障情報または動作情報が確認できなくて、原因究明に手間取ることが無くなり、修理の迅速化につながる。
【０２０３】
このため、音発生装置と表示装置の何れか一方を使用して、故障状態または動作状態を適切に把握できる空気調和機を得ることができる。
【０２０４】
また、請求項８記載の空気調和機によれば、前記短パルス部は複数の断続間隔の短いパルス音の組の１組又は複数組で構成され、前記長パルス部は単発又は複数の断続間隔の長いパルス音で構成される。
【０２０５】
これにより、短パルス部が複数の短パルスサイクルからなる組パルスで構成されるため、長パルス部と明らかに違った断続音になって、系統的に故障状態または動作状態を階層分類する時の上位，下位のデータのいずれであるかを直感的に感知することができる。また、電話を受けたサービス部門の担当者が使用者に状況を説明して空気調和機からの通報音を電話で伝達するよう依頼する場合など、未経験者に、言葉で説明する時に「ピッピッ」と言う音、「ピー」と言う音のように使用者に説明でき、使用者も音の違いを明確に認識できるので、サービス部門の依頼に応じやすく、修理に向けての活動が円滑に進み、使用者，サービス部門の両方に好都合である。更に、組パルス中の短パルスサイクルの数を変えることで、通報できる故障または動作の種類，故障または動作の内容の数を更に増やすことができ、故障または動作の内容を詳細に細分化して通報することができるようになり、サービスの対応が適切、且つ、早くできるようになって、使用者の不満が軽減される。
【０２０６】
このため、故障状態または動作状態を故障分類または動作分類に、更に細分化して通報でき、サービスの対応を、より適切に行える空気調和機を得ることができる。
【０２０７】
また、請求項９記載の空気調和機によれば、前記短パルス部は、断続間隔の短い５パルス以下の短パルスからなる組パルスで構成される。
【０２０８】
これにより、５パルス以下の短パルスであるので、容易にこれをリズムとして捕らえることができ、識別に迷いを生ずることは無い。
【０２０９】
このため、聴覚で識別できる短パルスの断続音で、故障分類または動作分類を正確に通報する空気調和機を得ることができる。
【０２１０】
また、請求項１０記載の空気調和機によれば、通報音の繰返し間隔を３０秒以内とする。
【０２１１】
これにより、通報音の繰返しの周期が短いので、伝達時間が短縮され、使用者の負担が軽くなり、故障情報または動作情報のサービス部門への伝達が円滑に行われて、サービス部門の故障情報または動作情報の把握が早い段階で行われ、素早い対応が可能になる。
【０２１２】
このため、使用者の負担が軽くなり、且つ、迅速なサービスを受けられる空気調和機を得ることができる。
【０２１３】
また、請求項１１記載の空気調和機によれば、通報音の音量が複数段階に変更可能である。
【０２１４】
これにより、周囲の騒音環境に応じて、通報音の強さを加減でき、騒音の大きいところからでも故障情報または動作情報を伝えることができる。
【０２１５】
このため、騒音の大きいところからでも故障情報または動作情報の伝達を確実に行える空気調和機を得ることができる。
【０２１６】
また、請求項１２記載の空気調和機によれば、前記故障情報または動作情報の通報中に、通報音の停止及び開始の操作が可能である。
【０２１７】
これにより、必要に応じて、使用者に操作を教えて故障情報または動作情報を通報音で通報させ、電話を介して聞くことで、故障状態または動作状態を把握することができる。また、その後、通報音を停止させ、室内に静けさを取戻させることもできる。このとき、同期している表示装置の点滅は継続し、故障であること、修理が必要であること、または意図しない動作中であることを表示し続けるようにすると良い。
【０２１８】
このため、故障表示中または動作表示中でも室内を静かな環境に保ち、且つ、必要に応じて故障情報または動作情報を音でも確認できる空気調和機を得ることができる。
【０２１９】
また、請求項１３記載の空気調和機によれば、通報音の継続時間を制限する。
【０２２０】
これにより、ブザー停止の操作をしなくても、所定時間後にはブザーは停止し、停止操作の方法が判らない時や、就寝時や、不在の時でも、室内は静かになり、故障または意図しない動作に対して冷静に対処できるようになると共に、ブザーを停止させることで少しでは有るが省エネになる。このとき、前述のように、同期している表示装置の点滅は継続させるのが良い。使用者が点滅に気付いて、サービス部門に電話し、サービス部門の担当者に聞いて、故障通報音または動作通報音の再開の操作をすることで、空気調和機の故障情報または動作情報を通報音でサービス部門に伝達でき、サービスを受けることができる。
【０２２１】
このため、故障または動作の表示は明確にしつつも、静かさが戻り、且つ、省エネにもなる空気調和機を得ることができる。
【０２２２】
また、請求項１４記載の空気調和機によれば、前記複数の短パルス間の短停止部長さが３０ms以上で、且つ、組パルス間の組停止部の長さの１／３以下である。
【０２２３】
これにより、パルス間の短停止部長さを３０ms以上にしたので、断続した音として、短パルスを捕らえることができ、また、組停止部の長さの１／３以下にしたので、組パルスの停止時間と混同することが無く、明確に区別することができる。
【０２２４】
このため、組パルス中の短パルスを明確に聞き分けられ、故障分類または動作分類を細分化できる空気調和機を得ることができる。
【図面の簡単な説明】
【０２２５】
【図１】実施例の空気調和機の構成図。
【図２】同空気調和機の室内機の断面図。
【図３】同室内機の上下風向板を開いた外観斜視図。
【図４】同室内機の表示装置の拡大図。
【図５】同空気調和機の構成を示すブロック図。
【図６】同室内機のリモコン。
【図７】同室内機の表示装置発光タイムチャート１。
【図８】同空気調和機の故障及び動作コード表。
【図９】同室内機の鳴動発光タイムチャート１。
【図１０】同室内機の音発生装置鳴動タイムチャート１。
【図１１】同タイムチャートの各部名称説明図。
【図１２】同室内機の表示装置発光タイムチャート２。
【図１３】同室内機の鳴動発光タイムチャート２。
【図１４】故障分類または動作分類の例。
【符号の説明】
【０２２６】
１  空気調和機
２  室内機
５  リモコン
６  室外機
８  接続配管
１０  室内機制御部
１４  赤外線検知装置
２０  筐体
２１  筐体ベース
２３  化粧枠
２５  前面パネル
２７  空気吸込み口
２９  空気吹出し口
３３  室内熱交換器
３５  露受皿
３７  ドレン配管
５１  液晶表示部
５２  扉
５３  外部操作ボタン
５４  送信部
５５  内部操作ボタン
５５ｈ  上下風向ボタン
２３０，２３０′  前側空気吸込み部
２３１，２３１′  フィルター
２５１  可動パネル
２９０  吹出し風路
２９１  上下風向板
２９５  左右風向板
３１１  室内送風機
３９４  通報装置
３９５  音発生装置（ブザー）
３９６  受光部
３９７  表示装置
３９７−１〜６  発光部（ＬＥＤ）
【図１】
2010091141.tif 000003
【図２】
2010091141.tif 000004
【図３】
2010091141.tif 000005
【図４】
2010091141.tif 000006
【図５】
2010091141.tif 000007
【図６】
2010091141.tif 000008
【図７】
2010091141.tif 000009
【図８】
2010091141.tif 000010
【図９】
2010091141.tif 000011
【図１０】
2010091141.tif 000012
【図１１】
2010091141.tif 000013
【図１２】
2010091141.tif 000014
【図１３】
2010091141.tif 000015
【図１４】
2010091141.tif 000016